(57)【要約】【課題】      見る者に軽快な印象を与えて美観を向上させるとともに、下面内側への雨水等の回り込みを防止できる庇を提供する。【解決手段】  パネル状に形成された庇本体１１の前方側および側方側の周縁部１５，１６に、断面Ｌ字状の先端部材１８を、その垂直部１８ａが庇本体１１の周縁部１５，１６の端面に当接するとともに、水平部１８ｂが垂直部１８ａの下端より庇本体１１から離反する方向に延出するように取り付けた。【選択図】      図１
2006307425.tif 000002
【特許請求の範囲】
【請求項１】
パネル状に形成された庇本体の前方側および側方側の周縁部に、断面Ｌ字状の先端部材を、その垂直部が前記庇本体の前記周縁部の端面に当接するとともに、水平部が前記垂直部の下端より前記庇本体から離反する方向に延出するように取り付けたことを特徴とする庇。
【請求項２】
前記先端部材の水平部の先端部に、下方に延びる突条を長手方向に沿って設けたことを特徴とする請求項１に記載の庇。
【請求項３】
前記庇本体の前方側および側方側の周縁部のうち、前記庇の水勾配の方向に沿って延びて形成される周縁部に取り付けられた前記先端部材は、その上端部が、前記庇本体の上面部よりも所定高さ上方に突出するように形成されたことを特徴とする請求項１または請求項２に記載の庇。
【請求項４】
前記先端部材の水平部の上面に、その先端部材の長手方向に沿って雨水等の水を排水する雨樋を設けたことを特徴とする請求項１または請求項２に記載の庇。
【請求項５】
前記庇本体の前方側および側方側の周縁部のうち、前記庇の水勾配の下流側に位置する周縁部に取り付けられた前記先端部材の水平部の上面に、その先端部材の長手方向に沿って雨水等の水を排水する雨樋を設けたことを特徴とする請求項３に記載の庇。
【発明の詳細な説明】
【技術分野】
【０００１】
本発明は、パネル状に形成された庇本体を備えた庇に関する。
【背景技術】
【０００２】
庇は、一般に出入口や窓等の開口部の外部上方に、日よけ或いは雨の室内への浸入を防ぐために設けられる。図５に示すように、従来の庇５１は、建物５２の骨組み５３に、複数の片持ち梁５４を取り付け、その片持ち梁５４の上部にデッキプレート５５を設け、これら片持ち梁５４とデッキプレート５５を覆うように表面板５６を設けて構成されているのが一般的である（例えば、特許文献１参照）。
【０００３】
この庇５１の前方側および側方側の周縁部には、鋼板やアルミニウム合金板等の板材を箱状に折り曲げて形成した先端部材５７が取り付けられている。
【特許文献１】特開２０００−１１０２９２号公報（図７）
【発明の開示】
【発明が解決しようとする課題】
【０００４】
しかしながら、前記図５に示す庇５１では、先端部材５７が箱状に形成されて、端部は垂直な壁面となっているので、庇５１全体が厚く見え、重い印象を与えてしまうといった問題があった。特に、平面の面積が大きい庇では、梁背が大きく、水勾配でも高さを要するので、余計に厚くなってしまう。その一方で、住宅や比較的低層の建物等に用いられる庇では、軽快な印象が求められる場合が多い。
さらに、前記先端部材５７では、雨水や積雪の解け水等が垂直な壁面を伝って、裏面に回り込み、庇の内側下面に雨水等が落下してしまうといった問題もあった。
【０００５】
そこで、本発明は前記の問題を解決するために案出されたものであって、見る者に軽快な印象を与えて美観を向上させるとともに、下面内側への雨水等の回り込みを防止できる庇を提供することを課題とする。
【課題を解決するための手段】
【０００６】
前記課題を解決するため、請求項１に係る発明は、パネル状に形成された庇本体の前方側および側方側の周縁部に、断面Ｌ字状の先端部材を、その垂直部が前記庇本体の前記周縁部の端面に当接するとともに、水平部が前記垂直部の下端より前記庇本体から離反する方向に延出するように取り付けたことを特徴とする庇である。
【０００７】
ここで、庇本体の前方側および側方側の周縁部とは、庇本体が建物等の被取付物に接していない部分で、外部に露出されている周縁部をいう。よって、庇の形状が、四角形ではなく多角形や円形や楕円形の場合は、被取付物に接していない周縁部に先端部材を取り付けることとなる。また、前方側および側部の周縁部は、その全周部または一部の両方を含む。
【０００８】
前記構成によれば、断面Ｌ字状の先端部材を庇本体の前方側および側方側の周縁部に形成したことによって、下から庇を見上げたときに先端部材の先端面のみが見える。よって、非常に庇が薄く感じられ軽快な印象を受ける。また、雨水等は、庇本体の上面から先端部材の垂直部を通り水平部へと流れるので、庇本体から離反する方向へ流れ落ちて、庇の裏面へ回り込むことはない。
【０００９】
請求項２に係る発明は、前記先端部材の水平部の先端部に、下方に延びる突条を長手方向に沿って設けたことを特徴とする請求項１に記載の庇である。
【００１０】
前記構成によれば、突条が先端部材の水平部を流れた雨水等を下方に落下させる水切り突条となるので、雨水等が庇の裏面へ回り込むのを確実に防止できる。
【００１１】
請求項３に係る発明は、前記庇本体の前方側および側方側の周縁部のうち、前記庇の水勾配の方向に沿って延びて形成される周縁部に取り付けられた前記先端部材は、その上端部が、前記庇本体の上面部よりも所定高さ上方に突出するように形成されたことを特徴とする請求項１または請求項２に記載の庇である。
【００１２】
前記構成によれは、先端部材の上端を、庇本体の上面よりも上方に突出させたことによって、この突出部分が雨水を堰き止める堰部となるので、雨水等が水勾配の方向に沿って形成された先端部材の側部から落下しない。なお、堰き止められた水は、庇本体上面を水勾配に沿って流れ、下流側の先端部材から落下する。
【００１３】
請求項４に係る発明は、前記先端部材の水平部の上面に、その先端部材の長手方向に沿って雨水等の水を排水する雨樋を設けたことを特徴とする請求項１または請求項２に記載の庇である。
【００１４】
前記構成によれば、先端部材に流れた雨水等は雨樋に沿って流れ、所定の位置にまとめて落下させることができるので、先端部材の側部から落下しない。
【００１５】
請求項５に係る発明は、前記庇本体の前方側および側方側の周縁部のうち、前記庇の水勾配の下流側に位置する周縁部に取り付けられた前記先端部材の水平部の上面に、その先端部材の長手方向に沿って雨水等の水を排水する雨樋を設けたことを特徴とする請求項３に記載の庇である。
【００１６】
前記構成によれば、前記堰部によって堰き止められた水を、水勾配の下流側で雨樋に流すことができるので、所定の位置にまとめて落下させることができ、水は先端部材の側部から落下しない。
【発明の効果】
【００１７】
本発明によれば、庇を見る者に軽快な印象を与えて美観を向上させることができるとともに、庇の下面内側への雨水等の回り込みを防止できるといった優れた効果を発揮する。
【発明を実施するための最良の形態】
【００１８】
次に、本発明に係る庇を実施するための最良の形態について、添付図面を参照しながら詳細に説明する。
【００１９】
図１は本発明に係る庇を実施するための最良の形態を示した平面図、図２は図１のＡ−Ａ線断面図、図３は図１のＢ−Ｂ線断面図、図４は本発明に係る庇を実施するための最良の形態を示した斜視図である。
【００２０】
まず、本実施の形態に係る庇１の構成を説明する。
【００２１】
図４に示すように、かかる庇１は、出入口や窓等の開口部２の外部上方に、日よけ或いは雨の室内への浸入を防ぐために設けられる。庇１の基端部の上面には、庇１を建物３の壁面に取り付けるための取付金具５が設けられており、この取付金具５に、建物３に突設された取付ブラケット４が、ボルト、ナット等の締結手段６を介して固定されている。また、庇１の基端部から先端側へ所定距離離反した位置の上面にも、取付金具７が設けられており、建物３の庇１の上方に一端（上端）支持される吊りロッド８の他端（下端）が、ボルト、ナット等の締結手段６を介して固定されている。本実施の形態では、庇１の先端部が基端部よりも低くなるように、庇１が取り付けられており、建物３の壁面から直交して離反する方向に、例えば５０分の１程度の水勾配（図中、実線矢印にて示す）を確保するように構成されている。庇１の基端部と建物３の壁面との間には、シール材（図示せず）が充填されている。
【００２２】
庇１は、矩形のパネル状に形成された庇本体１１を備えている。図１および図４に示すように、本実施の形態における庇本体１１は、フレーム状に組まれた枠材１２の内部に、アルミ合金板を円筒状に丸めて構成されるコア材１３を複数並べて、その上下に表面板１４を設け、これらコア材１３と枠材１２と上下の表面板１４とをロウ付けにて一体化してパネル状に構成されている。なお、コア材１３と枠材１２と上下の表面板１４との固定は、ロウ付けに限られるものではなく、接着剤を用いて固定するようにしてもよい。但し、ロウ付けによる固定の方が、コア材１３同士が溶着して一体的に形成されるので強度が大きく好ましい。
【００２３】
ところで、本発明は、庇本体１１の前方側の周縁部１５および側方側の周縁部１６に、断面Ｌ字状の先端部材１８を設けたことを特徴とする。先端部材１８は、図２に示すように、その垂直部１８ａが庇本体１１の周縁部１５，１６の端面に当接するとともに、水平部１８ｂが垂直部１８ａの下端より庇本体１１から離反する方向に延出するように取り付けられている。
【００２４】
ここで、庇本体１１の前方側および側方側の周縁部１５，１６とは、庇本体１１が建物３等の被取付物に接していない部分で、外部に露出されている周縁部をいう。よって、庇１の形状が、四角形ではなく多角形や円形や楕円形の場合は、被取付物に接していない周縁部に先端部材を取り付けることとなる。
【００２５】
また、本実施の形態では、先端部材１８は、前方側の周縁部１５および側方側の周縁部１６の全長に亘って設けられているが、周縁部１５，１６の一部に先端部材１８を設ける形態も本発明の実施の形態に含まれる。
【００２６】
本実施の形態では、図２および図３に示すように、先端部材１８の水平部１８ｂは、垂直部１８ａの長さと比較して、若干長くなるように形成されている。垂直部１８ａと水平部１８ｂの長さの比は、庇本体１１の厚さや庇１の取付高さに応じて決定され、開口部２（図４参照）から所定距離離れた位置から庇１を見上げた際に、垂直部１８ａが水平部１８ｂに隠れて見えないように決定されるのが好ましい。
【００２７】
先端部材１８は、アルミニウム合金板または鋼板を、プレス加工することで押出成型され、鋼板にて形成された場合にはプレス加工後にメッキ層にドブ付けされる。
【００２８】
図２および図３に示すように、庇本体１１の周縁部１５，１６に配置される枠材１２は、断面長方形の筒状に構成されており、庇本体１１の外側の垂直部１２ａには、溝部１９が形成されている。この溝部１９には、所定ピッチでネジ用穴２１が形成されている。一方、先端部材１８の垂直部１８ａの、枠材１２との当接面には、位置決め用突条２２が形成されている。この位置決め用突条２２は、前記溝部１９の幅、深さと同等の幅、高さを有しており、位置決め用突条２２が溝部１９に噛み合うことで、庇本体１１に対する先端部材１８の高さ方向の取付位置を規制するようになっている。先端部材１８の垂直部１８ａの位置決め用突条２２部分には、前記枠材１２のネジ用穴２１に対応する位置にネジ用穴２３が形成されている。先端部材１８の外側から例えば皿小ネジ等の目立たない締結手段２４をネジ用穴２３，２１に螺合させて、先端部材１８を枠材１２に固定するように構成されている。溝部１９と位置決め用突条２２との間には、例えばシート状のゴム材からなる止水パッキン２０が介設されている。
【００２９】
先端部材１８の水平部１８ｂの先端部２５には、下方に延びる突条２６が先端部材１８の長手方向に沿って設けられている。突条２６は、下方に向かって例えば２ｍｍ突出して形成されており、先端部材１８の水平部１８ｂ上に降った雨水等を水平部１８ｂの先端で下方に落下させる水切りの役目を果たし、雨水等が水平部１８ｂの下面を伝って庇１の下面に流れ込むのを防止している。
【００３０】
庇本体１１の側方側の周縁部１６に位置する先端部材１８は、本実施の形態では、庇１の水勾配（図１中、実線矢印にて示す）の方向に沿って延びて形成されている。この先端部材１８は、図２に示すように、その垂直部１８ａの上端部２７が、庇本体１１の上面部よりも所定高さ上方に突出するように設けられている。垂直部１８ａの上端部２７は、庇本体１１の上面部よりも例えば５ｍｍ上方に突出して形成されており、庇本体１１の上部に降った雨水等を堰き止めて、その雨水等が先端部材１８上に流れ込むのを防止する堰部２８を構成している。これによって、雨水等が庇１の側方側の周縁部１６から下方に流れるのを防止している。
【００３１】
庇本体１１の前方側の周縁部１５に位置する先端部材１８は、本実施の形態では、庇１の水勾配の下流側に位置することとなる。この先端部材１８の水平部１８ｂの上面には、図３に示すように、その先端部材１８の長手方向に沿って雨水等の水を排水する雨樋２９が設けられている。雨樋２９は、例えば断面コ字状の溝型鋼３１を、水平部１８ｂの上面基端部に固定して構成されている。雨樋２９は、水平部１８ｂに溶接固定され、その後に先端部材１８がメッキ層にドブ付けされる。雨樋２９の側壁部３２には、先端部材１８のネジ用穴２３に対応する位置に、先端部材１８を枠材１２に固定するための締結手段２４とドライバ（図示せず）を通すための貫通穴３３が形成されている。
【００３２】
図２および図３に示すように、先端部材１８の水平部１８ｂの下面基端部３４には、その長手方向に延びる凹部３５が形成されている。凹部３５は、水平部１８ｂの下面基端部３４を入り隅状に凹ませて形成されている。先端部材１８を庇本体１１に取り付けると、凹部３５と、庇本体１１の下側の表面板１４とで、断面コ字状に窪んだ目地３６が構成される。この目地３６は、庇本体１１の前方側の周縁部１５と側方側の周縁部１６の全長に沿って、先端部材１８の水平部１８ｂの先端部２５から一定の幅内側に入ったところに形成されて、化粧目地の役目を果たす。また、目地３６は、水平部１８ｂの下面から所定深さ上方に窪んでいるので、水平部１８ｂの下面に付着した水分が庇本体１１の下面に伝わるのを防止する水切り目地の役目を果たす。
【００３３】
次に、前記実施の形態に係る庇１の作用を説明する。
【００３４】
前記実施の形態の構成によれば、断面Ｌ字状の先端部材１８を、庇本体１１の前方側の周縁部１５および側方側の周縁部１６に形成したことによって、開口部２から所定距離離れた位置から庇１を見上げた際に、先端部材１８の垂直部１８ａが水平部１８ｂに隠れて、水平部１８ｂの先端部２５の垂直面のみが厚さとして感じるように見える。よって、非常に庇１が薄く感じられ軽快な印象を見る者に与えることができる。
【００３５】
また、先端部材１８上に降った雨水等は、庇本体１１の上面から先端部材１８の垂直部１８ａから水平部１８ｂへと加速されて早い流速で先端部２５へと流れるので、先端部２５から庇本体１１から離反する方向へ飛び落ちて、庇１の裏面（下面）へ回り込むことはない。さらに、先端部材１８上を流れる雨水等の流速が遅い場合でも、先端部材１８の水平部１８ｂの先端部２５に突条２６を長手方向に沿って設けており、この突条２６が水切りの役目を果たしているので、雨水等は、庇１の下面へ回り込むことなく、突条２６の下端部から確実に下方に落下する。
【００３６】
庇１の水勾配の方向に沿う側方側の周縁部１６に取り付けられた先端部材１８の上端部を、庇本体１１の上面部よりも所定高さ上方に突出させて堰部２８を形成したことによって、庇本体１１の上面に降った雨水等は、図１中、破線矢印にて示すように、風などによって庇本体１１の側方側の周縁部１６へ流されたとしても、堰部２８で堰き止められる。よって、庇本体１１の上面に降った雨水等は、先端部材１８上に流れ込むことなく水勾配の下流側へと流れるので、庇１の側方側の周縁部１６から垂れ落ちることはない。そして、庇１の水勾配の下流側となる前方側の周縁部１５に取り付けられた先端部材１８の水平部１８ｂの上面には、雨樋２９が前方側の周縁部１５の先端部材１８の長手方向全長に亘って設けられているので、下流側へと流れた雨水等は、雨樋２９を流れて、前方側の周縁部１５の両端部に流れた後に落下する。このように、庇本体１１の上面に降った雨水等を所定の位置にまとめて落下させているので、庇１の前面および側面の広範囲に亘って雨水等が落下することはない。
【００３７】
特に、庇１を出入口の上部に設けた場合に、前記の作用効果が特に有効に機能する。すなわち、出入口の上部の庇１では、庇１の下を人が通過することになるが、前記実施の形態では、庇本体１１の前方側の周縁部１５の両端部に雨水等を集中して落下させているので、人が前方側の周縁部１５の両端部を避けて通過すれば、庇１から落下する雨水等が人にかかることはなく、庇１としての機能を向上させることができる。
【００３８】
一方、雨樋２９の側壁部３２に、貫通穴３３を形成したことによって、先端部材１８を庇本体１１に取り付ける際に、先端部材１８のネジ用穴２３と枠材１２のネジ用穴２１に、通常のドライバを用いて側方から締結手段２４を挿入することができ、その作業を円滑に行うことができる。
【００３９】
なお、前記実施の形態では、雨樋２９の両端から雨水等を落下させるようにしているが、雨樋２９の下流端に、雨水等を排水溝に流すドレン管を接続するようにしてもよい。この構成によれば、庇１の周縁部１５，１６から部分的にでも雨水等が落下するのを防止することができる。この作用効果は、庇本体１１の面積が大きい場合に、庇１上に降る雨水等の量が多くなるので、特に有効となる。
【００４０】
一方、先端部材１８の水平部１８ｂの下面基端部３４に、その長手方向に延びる凹部３５を形成したことによって、凹部３５と、庇本体１１の下側の表面板１４とで、目地３６が構成される。この目地３６が化粧目地の役目を果たすが、特に、人からよく見える庇１の下面に直線状の化粧目地が現れ、美観の向上に大きく寄与している。さらに、目地３６は、水切り目地の役目も果たすので、風雪により先端部材１８の先端部２５を覆うように雪塊が付着した場合でも、雪解け水は、目地３６の部分で落下して、庇本体１１の下面まで流れて伝わることはない。
【００４１】
なお、前記の実施の形態では、庇１が前方側の周縁部１５に雨水等が流れるように水勾配をとっているため、側方側の周縁部１６の先端部材１８に堰部２８を形成し、前方側の周縁部１５の先端部材１８に雨樋２９を設けているが、庇を正面から見て左右方向に水が流れるように水勾配をとった場合には、前方側の周縁部の先端部材に堰部を形成し、側方側の周縁部の水勾配の下流側に位置する先端部材に雨樋を設けるようにする。
【００４２】
また、庇本体の前面および側面の周縁部全体に亘って雨樋を設けるようにしてもよい。この場合、先端部材の上端部に、堰部は形成しない。雨樋の一部に排水部分を設けるようにする。
【００４３】
さらに、前記実施の形態では、先端部材１８の水平部１８ｂの上面に断面コ字状の溝型鋼３１を固定して雨樋２９を構成しているが、これに限られるものではない。例えば、先端部材の水平部の上面の、垂直部から所定距離離れた位置にプレート或いは山形鋼を立設し、このプレート或いは山形鋼と先端部材の垂直部とで、雨樋の両側壁を構成するようにしてもよい。
【００４４】
また、前記実施の形態では、雨樋２９は、その先端部が側方側の周縁部１６の先端部材１８の先端部２５と面を合わせるように形成されているが、これに限られるものではない。例えば、雨樋２９の先端部を、側方側の周縁部１６の先端部材１８の先端部２５よりも所定長さ突出させて、デザイン性を高めるようにしてもよい。
【００４５】
以上、本発明を実施するための最良の形態について説明したが、本発明は前記実施の形態に限定されず、本発明の趣旨を逸脱しない範囲で適宜設計変更が可能である。例えば、
前記実施の形態では、コア材１３を枠材１２および上下の表面板１４内に並べてロウ付けにより一体的に形成した庇本体１１を例に挙げて説明したが、庇本体は、前記構成に限られるものではなく、コア材を有していなくてもパネル状に一体的に形成されているものであればよいのは勿論である。
【図面の簡単な説明】
【００４６】
【図１】本発明に係る庇を実施するための最良の形態を示した平面図である。
【図２】図１のＡ−Ａ線断面図である。
【図３】図１のＢ−Ｂ線断面図である。
【図４】本発明に係る庇を実施するための最良の形態を示した斜視図である。
【図５】従来の庇を示した断面図である。
【符号の説明】
【００４７】
１      庇
１１    庇本体
１５    （前方側の）周縁部
１６    （側方側の）周縁部
１８    先端部材
１８ａ  垂直部
１８ｂ  水平部
２５    先端部
２６    突条
２７    上端部
２９    雨樋
【図１】
2006307425.tif 000003
【図２】
2006307425.tif 000004
【図３】
2006307425.tif 000005
【図４】
2006307425.tif 000006
【図５】
2006307425.tif 000007